(57)【要約】【課題】可視光線を照射した媒体の表面画像と紫外線を照射した媒体の表面画像を、ＵＶインクによる印刷部分を判別しやすい状態で合成する画像処理装置を提供すること。【解決手段】制御装置７（画像処理装置）は、イメージセンサー１６を駆動して、第１の光（可視光線）が照射された小切手２を読み取った第１表面画像Ｇ１を取得するとともに、紫外線を含む第２の光が照射された小切手２を読み取った第２表面画像Ｇ２を取得する画像読取部３５と、第１表面画像Ｇ１の輝度を低下させた第１補正画像Ｈ１を生成する第１補正画像生成部５１と、第２表面画像Ｇ２のコントラストを増大させた第２補正画像Ｈ２を生成する第２補正画像生成部５２と、第１補正画像Ｈ１と第２補正画像Ｈ２とを合成した合成画像Ｉを生成する合成画像生成部４７を備える。【選択図】図２
2016015668.tif 000002
【特許請求の範囲】
【請求項１】
イメージセンサーを駆動して、第１の光が照射された媒体の表面を読み取った第１画像を取得するとともに、紫外線を含む第２の光が照射された前記媒体の表面を読み取った第２画像を取得する画像取得部と、
前記第１画像の明るさを低下させた第１補正画像を生成する第１補正画像生成部と、
前記第２画像のコントラストを増大させた第２補正画像を生成する第２補正画像生成部と、
前記第１補正画像と前記第２補正画像とを合成した合成画像を生成する合成画像生成部と、を有することを特徴とする画像処理装置。
【請求項２】
請求項１において、
前記第１補正画像生成部は、前記第１画像の画素の輝度値を一定割合で低下させて前記第１補正画像を生成することを特徴とする画像処理装置。
【請求項３】
請求項１において、
前記第２補正画像生成部は、前記第２画像において、隣り合う画素の輝度値の差が予め設定した輝度差よりも大きい画像部分を含む領域をエッジ領域として抽出するエッジ領域抽出部と、前記エッジ領域に含まれる複数の画素を、輝度値に基づいて第１画素群と当該第１画素群よりも輝度値の低い第２画素群とに振分けて、前記第１画素群に含まれる画素と前記第２画素群に含まれる画素との間でコントラストが増大するように画素の輝度値を補正する補正関数を生成する補正関数生成部と、前記第２画像を構成する画素について画素の輝度値を前記補正関数で補正した前記第２補正画像を生成する輝度値補正画像生成部と、を備えることを特徴とする画像処理装置。
【請求項４】
請求項３において、
前記合成画像において、前記第１補正画像の画素と前記第２補正画像の画素とを合成した合成画素の輝度値は、前記第１補正画像の前記画素の輝度値以上であり、かつ、前記第２補正画像の前記画素の輝度値以上であることを特徴とする画像処理装置。
【請求項５】
請求項１から４のいずれかの１項において、
前記第１画像は可視光に基づく画像を含み、前記第２画像はＵＶインクからの蛍光に基づく画像を含むことを特徴とする画像処理装置。
【請求項６】
イメージセンサーによって第１の光が照射された媒体の表面を読み取った第１画像を取得するとともに、紫外線を含む第２の光が照射された前記媒体の表面を読み取った第２画像を取得し、
前記第１画像の輝度を低下させた第１補正画像を生成するとともに、前記第２画像のコントラストを増大させた第２補正画像を生成し、
前記第１補正画像と前記第２補正画像とを合成した合成画像を生成することを特徴とする画像処理方法。
【請求項７】
請求項６において、
前記第１画像の画素の輝度値を一定割合で低下させて前記第１補正画像を生成することを特徴とする画像処理方法。
【請求項８】
請求項６において、
前記第２画像において、隣り合う画素の輝度値の差が予め設定した輝度差よりも大きい画像部分を含む領域をエッジ領域として抽出し、
前記エッジ領域に含まれる複数の画素を、輝度に基づいて、第１画素群と当該第１画素群よりも輝度の低い第２画素群に振分けて、前記第１画素群に含まれる画素と前記第２画素群に含まれる画素との間でコントラストが増大するように画素の輝度値を補正する補正関数を生成し、
前記第２画像を構成する画素について画素の輝度値を前記補正関数で補正して前記第２補正画像を生成することを特徴とする画像処理方法。
【請求項９】
請求項８において、
前記第１補正画像の画素と前記第２補正画像の画素とを合成した前記合成画像の合成画素の輝度値は、前記第１補正画像の画素の輝度値以上であり、かつ、前記第２補正画像の画素の輝度値以上であることを特徴とする画像処理方法。
【請求項１０】
請求項６から９のいずれかの１項において、
前記第１画像は可視光に基づく画像を含み、前記第２画像はＵＶインクからの蛍光に基づく画像を含むことを特徴とする画像処理方法。
【請求項１１】
イメージセンサーを制御する制御装置で動作するプログラムにおいて、
前記制御装置を、
前記イメージセンサーを駆動して、第１の光が照射された媒体の表面を読み取った第１画像を取得するとともに、紫外線を含む第２の光が照射された前記媒体の表面を読み取った第２画像を取得する画像取得部と、
前記第１画像の輝度を低下させた第１補正画像を生成する第１補正画像生成部と、
前記第２画像のコントラストを増大させた第２補正画像を生成する第２補正画像生成部と、
前記第１補正画像と前記第２補正画像とを合成した合成画像を生成する合成画像生成部と、
に機能させることを特徴とするプログラム。
【発明の詳細な説明】
【技術分野】
【０００１】
本発明は、紫外線が照射されたときに蛍光を発光するインクで印刷された印刷部分を含む媒体の表面を読み取る画像処理装置、画像処理方法およびプログラムに関する。
【背景技術】
【０００２】
小切手が持ち込まれた金融機関では、小切手を小切手処理装置に掛け、小切手に印刷されている磁気インク文字を磁気的に読み取り、取得した磁気情報に基づいて決済処理を行う。また、金融機関では、磁気インク文字の読み取りと並行して、小切手処理装置によって可視光線を照射した小切手の表面を読み取り、取得した表面画像を決済の証拠として保存する。さらに、金融機関では、小切手として、紫外線の照射に対したときに蛍光を発光するインク（以下、ＵＶインクという）で偽造防止用画像が印刷されたものが用いられる場合には、小切手処理装置によって紫外線を照射した小切手の表面を読み取り、取得した表面画像を小切手の真贋判定のために利用する。また、金融機関では、紫外線を照射した小切手の表面画像を決済の証拠として保存する。
【０００３】
このような小切手の決済処理に用いることが可能な小切手処理装置は特許文献１に記載されている。同文献の小切手処理装置は、磁気インク文字を磁気的に読み取る磁気センサーと、小切手の表面に読取光を照射して表面画像を取得するイメージセンサーを搭載する。イメージセンサーは、読取光として可視光線と紫外線を射出する。
【先行技術文献】
【特許文献】
【０００４】
【特許文献１】特開２０１３−７０２２５号公報
【発明の概要】
【発明が解決しようとする課題】
【０００５】
小切手による決済の証拠として、可視光線を照射した小切手の表面画像と、紫外線を照射した小切手の表面画像を保存する場合には、保存する画像のデータ容量が大きくなるという問題がある。ここで、決済の証拠として保存する画像のデータ容量を抑制するためには、可視光線を照射した小切手の表面画像と、紫外線を照射した小切手の表面画像を合成して１枚の合成画像を保存することが考えられる。しかし、これらの２つの表面画像を単純に合成した場合には、合成画像において偽造防止用画像が認識し難くなるなどの問題が発生する。
【０００６】
本発明の課題は、このような点に鑑みて、可視光線を照射した媒体の表面画像と紫外線を照射した媒体の表面画像を、ＵＶインクによる印刷部分を判別しやすい状態で合成する画像処理装置、画像処理方法、および、プログラムを提供することにある。
【課題を解決するための手段】
【０００７】
上記の課題を解決するために、本発明の画像処理装置は、イメージセンサーを駆動して、第１の光が照射された媒体の表面を読み取った第１画像を取得するとともに、紫外線を含む第２の光が照射された前記媒体の表面を読み取った第２画像を取得する画像取得部と、前記第１画像の明るさを低下させた第１補正画像を生成する第１補正画像生成部と、前記第２画像のコントラストを増大させた第２補正画像を生成する第２補正画像生成部と、前記第１補正画像と前記第２補正画像とを合成した合成画像を生成する合成画像生成部と、を有することを特徴とする。
【０００８】
本発明では、可視光などの第１の光が照射された媒体の第１画像と紫外線を含む第２の光が照射された媒体の第２画像を合成する際に、第１画像については明るさ（例えば、輝度）を低下させた第１補正画像を生成し、第２画像についてはコントラストを増大させた第２補正画像を生成して、これら第１補正画像および第２補正画像を合成する。ここで、紫外線が照射された小切手の表面をイメージセンサーで読み取った場合に取得される第２画像は、小切手の表面で反射された読取光の反射光を撮像した部分が暗く（輝度が低く）、ＵＶインクによる印刷部分からの蛍光を撮像した部分が明るい（輝度が高い）グレースケールの画像となる。従って、第２画像のコントラストを増大させた第２補正画像は、第２画像と比較して、ＵＶインクによる印刷部分を判別しやすくなる。また、第２補正画像と、第１画像について輝度を低下させた第１補正画像を合成すれば、第２補正画像におけるＵＶインクによる印刷部分と第１補正画像の間でコントラストを増大させることができる。よって、可視光線を照射した媒体の表面画像と紫外線を照射した媒体の表面画像を、ＵＶインクによる印刷部分を判別しやすい状態で合成できる。
【０００９】
本発明において、前記第１補正画像生成部は、前記第１画像の画素の輝度値を一定割合で低下させて前記第１補正画像を生成するものとすることができる。このようにすれば、第１補正画像の生成が容易である。
【００１０】
本発明において、前記第２補正画像生成部は、前記第２画像において、隣り合う画素の輝度値の差が予め設定した輝度差よりも大きい画像部分を含む領域をエッジ領域として抽出するエッジ領域抽出部と、前記エッジ領域に含まれる複数の画素を、輝度値に基づいて第１画素群と当該第１画素群よりも輝度値の低い第２画素群とに振分けて、前記第１画素群に含まれる画素と前記第２画素群に含まれる画素との間でコントラストが増大するように画素の輝度値を補正する補正関数を生成する補正関数生成部と、前記第２画像を構成する画素について画素の輝度値を前記補正関数で補正した前記第２補正画像を生成する輝度値補正画像生成部と、を備えるものとすることができる。このようにすれば、エッジ領域抽出部が、紫外線が照射された媒体の画像から、ＵＶインクによる印刷部分とＵＶインクによる印刷のない媒体の表面部分を含む画像部分をエッジ領域として抽出する。そして、補正関数生成部が、このエッジ領域における明るい部分（第１画素群）と、暗い部分（第２画素群）との間のコントラストが増大するような補正関数を生成する。しかる後に、補正画像生成部が、補正関数に基づいて画像の全体を補正した第２補正画像を生成する。これにより、第２補正画像では、ＵＶインクによる印刷部分と、ＵＶインクにより印刷がされていない媒体の表面との間のコントラストが増大する。従って、ＵＶインクによる印刷部分が判別しやすくなる。
【００１１】
本発明では、前記合成画像において、前記第１補正画像の画素と前記第２補正画像の画素とを合成した合成画素の輝度値は、前記第１補正画像の前記画素の輝度値以上であり、かつ、前記第２補正画像の前記画素の輝度値以上であることが望ましい。このようにすれば、合成画像においてＵＶインクによる印刷部分に対応する画素の輝度が低下しないので、この印刷部分が判別しやすくなる。
【００１２】
本発明において、前記第１画像は可視光に基づく画像を含み、前記第２画像はＵＶインクからの蛍光に基づく画像を含むものとすることができる。このようにすれば、例えば、ＵＶインクにより偽造防止用画像が印刷されている小切手の表面を読み取って、小切手の表面の画像と偽造防止用画像とを合成した合成画像を生成することができる。
【００１３】
次に、本発明の画像処理方法は、イメージセンサーによって第１の光が照射された媒体の表面を読み取った第１画像を取得するとともに、紫外線を含む第２の光が照射された前記媒体の表面を読み取った第２画像を取得し、前記第１画像の輝度を低下させた第１補正画像を生成するとともに、前記第２画像のコントラストを増大させた第２補正画像を生成し、前記第１補正画像と前記第２補正画像とを合成した合成画像を生成することを特徴とする。
【００１４】
本発明では、可視光などの第１の光が照射された媒体の第１画像と紫外線を含む第２の光が照射された媒体の第２画像を合成する際に、第１画像については輝度を低下させた第１補正画像を生成し、第２画像についてはコントラストを増大させた第２補正画像を生成して、これら第１補正画像および第２補正画像を合成する。ここで、第２画像のコントラストを増大させた第２補正画像は、第２画像と比較して、ＵＶインクによる印刷部分を判別しやすくなる。また、第２補正画像と、第１画像について輝度を低下させた第１補正画像を合成すれば、第２補正画像におけるＵＶインクによる印刷部分と第１補正画像の間でコントラストを増大させることができる。よって、可視光線を照射した媒体の表面画像と紫外線を照射した媒体の表面画像を、ＵＶインクによる印刷部分を判別しやすい状態で合成できる。
【００１５】
本発明において、前記第１画像の画素の輝度値を一定割合で低下させて前記第１補正画像を生成することができる。このようにすれば、第１補正画像の生成が容易である。
【００１６】
本発明において、ＵＶインクによる印刷部分と、ＵＶインクにより印刷がされていない媒体の表面との間のコントラストを増大させるためには、前記第２画像において、隣り合う画素の輝度値の差が予め設定した輝度差よりも大きい画像部分を含む領域をエッジ領域として抽出し、前記エッジ領域に含まれる複数の画素を、輝度に基づいて、第１画素群と当該第１画素群よりも輝度の低い第２画素群に振分けて、前記第１画素群に含まれる画素と前記第２画素群に含まれる画素との間でコントラストが増大するように画素の輝度値を補正する補正関数を生成し、前記第２画像を構成する画素について画素の輝度値を前記補正関数で補正して前記第２補正画像を生成するものとすることができる。
【００１７】
本発明において、前記第１補正画像の画素と前記第２補正画像の画素とを合成した前記合成画像の合成画素の輝度値は、前記第１補正画像の画素の輝度値以上であり、かつ、前記第２補正画像の画素の輝度値以上であるものとすることができる。このようにすれば、合成画像においてＵＶインクによる印刷部分に対応する画素の輝度が低下しないので、この印刷部分が判別しやすくなる。
【００１８】
本発明において、前記第１画像は可視光に基づく画像を含み、前記第２画像はＵＶインクからの蛍光に基づく画像を含むものとすることができる。このようにすれば、例えば、ＵＶインクにより偽造防止用画像が印刷されている小切手の表面を読み取って、小切手の表面の画像と偽造防止用画像とを合成した合成画像を生成することができる。
【００１９】
また、本発明は、イメージセンサーを制御する制御装置で動作するプログラムにおいて、前記制御装置を、前記イメージセンサーを駆動して、第１の光が照射された媒体の表面を読み取った第１画像を取得するとともに、紫外線を含む第２の光が照射された前記媒体の表面を読み取った第２画像を取得する画像取得部と、前記第１画像の輝度を低下させた第１補正画像を生成する第１補正画像生成部と、前記第２画像のコントラストを増大させた第２補正画像を生成する第２補正画像生成部と、前記第１補正画像と前記第２補正画像とを合成した合成画像を生成する合成画像生成部と、に機能させることを特徴とする。 
【００２０】
本発明によれば、可視光などの第１の光が照射された媒体の第１画像と紫外線が照射された媒体の第２画像を合成する際に、第１画像については輝度を低下させた第１補正画像を生成し、第２画像についてはコントラストを増大させた第２補正画像を生成して、これら第１補正画像および第２補正画像を合成する。ここで、第２画像のコントラストを増大させた第２補正画像は、第２画像と比較して、ＵＶインクによる印刷部分を判別しやすくなる。また、第２補正画像と、第１画像について輝度を低下させた第１補正画像を合成すれば、第２補正画像におけるＵＶインクによる印刷部分と第１補正画像の間でコントラストを増大させることができる。よって、可視光線を照射した媒体の表面画像と紫外線を照射した媒体の表面画像を、ＵＶインクによる印刷部分を判別しやすい状態で合成できる。
【図面の簡単な説明】
【００２１】
【図１】本発明を適用した小切手処理システムの説明図である。
【図２】小切手処理システムの制御系を示すブロック図である。
【図３】小切手の第１表面画像および第１補正画像の説明図である。
【図４】小切手の第２表面画像および第２補正画像の説明図である。
【図５】小切手の表面画像の画像部分における輝度値のグラフである。
【図６】エッジ領域における輝度地のヒストグラムおよび補正関数の説明図である。
【図７】合成画像の説明図である。
【発明を実施するための形態】
【００２２】
以下に、図面を参照して、本発明を適用した画像処理装置の実施の形態である小切手処理装置を説明する。
【００２３】
（小切手処理システム）
図１（ａ）は小切手処理システムの説明図であり、図１（ｂ）は小切手の説明図である。小切手処理システム（画像処理システム）１は、小切手２による決済処理などを行うものである。図１（ａ）に示すように、小切手処理システム１は、小切手処理装置５と、小切手処理装置５にケーブル６等で通信可能に接続された制御装置（画像処理装置）７を備える。制御装置７は装置本体８と、装置本体８に接続された入力装置９およびディスプレイ１０を備える。装置本体８はコンピューターである。
【００２４】
金融機関に持ち込まれる小切手２の表面２ａには、図１（ｂ）に示すように、磁気インクにより顧客の口座番号などを表した磁気インク文字１１が印刷されている。また、小切手２の表面２ａには、紫外線を照射したときに蛍光を発光するＵＶインクにより偽造防止用画像１２が印刷されている。
【００２５】
小切手処理装置５は、図１（ａ）に示すように、磁気センサー１５と、イメージセンサー１６と、磁気センサー１５による磁気読取位置Ａとイメージセンサー１６による画像読取位置Ｂを経由して延びる搬送路１７を備える。また、小切手処理装置５は、搬送路１７に挿入された小切手２を搬送路１７に沿って搬送して磁気読取位置Ａと画像読取位置Ｂを通過させる搬送機構１８を備える。搬送機構１８は搬送路１７に挿入された小切手２を挟持した状態で送り出す搬送ローラー対１９と、搬送ローラー対１９を駆動する搬送モーター２０（図２参照）を備える。
【００２６】
磁気センサー１５は磁気読取面２１を搬送路１７に向けて配置されている。磁気センサー１５は、磁気読取位置Ａを通過する小切手２から磁気インク文字１１を読み取る。
【００２７】
イメージセンサー１６は、ＣＩＳ（Contact Image Sensor）モジュールである。イメージセンサー１６は画像読取位置Ｂを通過する小切手２に光を照射して小切手２からの反射光または発光を読み取る。イメージセンサー１６は、照射部２５および読取部（撮像素子）２６を搬送路１７に向けて配置される。
【００２８】
照射部２５は小切手２の搬送方向Ｃと直交する上下方向に線状に設けられている。照射部２５は、発光素子として、赤色読取光を照射する複数の赤色発光素子２５Ｒ、緑色読取光を照射する複数の緑色発光素子２５Ｇ、青色読取光を照射する複数の青色発光素子２５Ｂ、および、紫外線からなる紫外線読取光を照射する複数の紫外線発光素子２５ＵＶを備える。各読取光を照射する複数の発光素子２５Ｒ、２５Ｇ、２５Ｂ、２５ＵＶは、それぞれ上下方向に延びる線状に配列される。
【００２９】
読取部２６は照射部２５に沿って上下方向に線状に設けられている。読取部２６はＣＭＯＳセンサーなどの撮像素子からなる。読取部２６（撮像素子）は、小切手２に各読取光が照射されたタイミングで、画像読取位置Ｂを通過する小切手２を上下方向に延びる１ライン毎、逐次、に読み取る。
【００３０】
小切手処理装置５は搬送機構１８により小切手２を搬送路１７に沿って搬送する。そして、小切手処理装置５は磁気読取位置Ａを通過する小切手２から磁気センサー１５により磁気インク文字１１を読み取って磁気情報を取得する。また、小切手処理装置５は読み取った磁気情報を制御装置７に送信する。さらに、小切手処理装置５は画像読取位置Ｂを通過する小切手２からイメージセンサー１６により小切手２の表面２ａを読み取り、読取情報を、逐次に、制御装置７に送信する。
【００３１】
制御装置７は、小切手処理装置５が取得した磁気情報を受信し、磁気情報と入力装置９から入力される入力情報に基づいて決済処理を行う。
【００３２】
また、制御装置７は、小切手処理装置５から逐次に送信されてくる読取情報（イメージセンサー１６からの出力）に基づいて、第１表面画像（第１画像）と第２表面画像（第２画像）を取得する。第１表面画像は可視光線読取光（赤色読取光、青色読取光、緑色読取光）を小切手２に照射した場合のグレースケール（コンポジットグレー）の画像であり、第２表面画像は紫外線読取光を小切手２に照射した場合のグレースケールの画像である。第１表面画像と第２表面画像は、イメージセンサー１６の解像度に応じた画素により構成される。
【００３３】
さらに、制御装置７は、取得した第１表面画像および第２表面画像に補正を施した後に合成し、第１表面画像と第２表面画像を合成した合成画像を生成する。そして、制御装置７は、合成画像を決済処理の証拠として記憶保持する。
【００３４】
（制御系）
図２は小切手処理システム１の制御系を示す概略ブロック図である。図３は第１表面画像および第１補正画像の説明図である。図４は第２表面画像および第２補正画像の説明図である。
【００３５】
図２に示すように、小切手処理装置５の制御系は、ＣＰＵなどを搭載する制御部３１を中心に構成されている。制御部３１には、制御装置７との間で通信を行うための通信インターフェースを備える通信部３２が接続されている。また、制御部３１には、搬送モーター２０、磁気センサー１５およびイメージセンサー１６が不図示のドライバーを介して接続される。
【００３６】
制御部３１では制御プログラムが動作している。制御プログラムは、制御部３１を、搬送制御部３３、磁気情報取得部３４、画像読取部３５として機能させている。従って、制御部３１は、搬送制御部３３、磁気情報取得部３４、画像読取部３５を有する。
【００３７】
搬送制御部３３は、搬送モーター２０を駆動制御して、小切手２を搬送路１７に沿って搬送する。
【００３８】
磁気情報取得部３４は、磁気センサー１５を駆動して、磁気読取位置Ａを通過する小切手２の磁気インク文字１１から磁気読取情報（検出信号）を読み取る。また、磁気情報取得部３４は、磁気読取情報に基づいて、磁気インク文字１１を認識する。磁気インク文字１１の認識は、磁気センサー１５から出力される磁気読取情報と、予め記憶保持している磁気インク文字１１の信号波形パターンとを照合して行われる。磁気情報取得部３４は磁気インク文字１１の認識結果を磁気情報として取得する。磁気情報が取得されると、磁気情報取得部３４はこの磁気情報を制御装置７に送信する。
【００３９】
画像読取部３５は、イメージセンサー１６を駆動して、画像読取位置Ｂを通過する小切手２から小切手２の表面２ａを読み取る。
【００４０】
イメージセンサー１６による小切手２の表面２ａの読み取りに際し、画像読取部３５は、画像読取位置Ｂで小切手２を読取解像度に対応する１ライン分の搬送量だけ搬送する間に、照射部２５から小切手２の表面２ａに赤色読取光、緑色読取光、青色読取光、および紫外線読取光をこの順番で順次に照射する。また、画像読取部３５は、小切手２が１ライン分の搬送量だけ搬送される毎に、読取部２６に、赤色読取光が照射された小切手２の１ライン分の表面部分、青色読取光が照射された小切手２の１ライン分の表面部分、緑色読取光が照射された小切手２の１ライン分の表面部分、紫外線読取光が照射された小切手２の１ライン分の表面部分を逐次に読みとらせる。さらに、画像読取部３５は、赤色読取光が照射されている間に読取部２６から出力される読取情報、緑色読取光が照射されている間に読取部２６から出力される読取情報、青色読取光が照射されている間に読取部２６から出力される読取情報、紫外線読取光が照射されている間に読取部２６から出力される読取情報を、逐次に、制御装置７に送信する。
【００４１】
次に、制御装置７は、図２に示すように、小切手処理装置制御部４１、画像処理部４２、および、決済処理部４３を備える。制御装置７は、装置本体８でプログラムが動作することにより、小切手処理装置制御部４１、画像処理部４２、および、決済処理部４３として機能する。
【００４２】
小切手処理装置制御部４１は、小切手処理装置５に小切手処理動作を開始させる処理動作開始命令を送信する。
【００４３】
画像処理部４２は、可視光線（赤色読取光・緑色読取光・青色読取光）が照射されている間に読取部２６から出力される読取情報に基づいて第１表面画像Ｇ１を取得する。また、画像読取部３５は、紫外線読取光が照射されている間に読取部２６から出力される読取情報に基づいて、第２表面画像Ｇ２を取得する。さらに、画像処理部４２は、第１表面画像Ｇ１と第２表面画像Ｇ２を合成した合成画像Ｉを生成する。
【００４４】
決済処理部４３は、小切手処理装置５から受信した口座番号などの磁気情報、入力装置９を介して制御装置７への入力される金額などの入力情報に基づいて決済処理を行う。また、決済処理部４３は、画像処理部４２により生成された合成画像Ｉをディスプレイ１０に表示する。さらに、決済処理部４３は、合成画像Ｉを、決済の日付、磁気情報および入力情報などを含む決済情報と関連付けて記憶保持する。
【００４５】
ここで、画像処理部４２は、画像取得部４５、補正画像生成部４６、合成画像生成部４７を備える。
【００４６】
画像取得部４５は、赤色読取光が照射されている間に読取部２６から出力される読取情報、緑色読取光が照射されている間に読取部２６から出力される読取情報、青色読取光が照射されている間に読取部２６から出力される読取情報に基づいて、第１表面画像Ｇ１を取得する。画像取得部４５により取得される第１表面画像Ｇ１は図３（ａ）の上側の図に示すものとなる。図３（ａ）の下側の図は、第１表面画像Ｇ１における明るさ（輝度値）の分布のヒストグラムである。画像をディスプレイ１０に表示するため、明るさを輝度で表し、ヒストグラムの横軸を輝度値とし、縦軸を度数（画素数）とする。前述のとおり、第１表面画像Ｇ１グレースケールの画像であるので、輝度を表す輝度値は、２５６階調とし、輝度値０が最も暗く（黒）、輝度値２５５が最も明るい（白）ものとする。
【００４７】
また、画像取得部４５は、紫外線読取光が照射されている間に読取部２６から出力される読取情報に基づいて、第２表面画像Ｇ２を取得する。画像取得部４５により取得される第２表面画像Ｇ２は図４（ａ）の上側に示すものとなる。図４（ａ）の下側の図は、第２表面画像Ｇ２における明るさ（輝度値）の分布のヒストグラムである。第２表面画像Ｇ２は、小切手２の表面で反射された読取光の反射光（紫外線）を撮像した部分が暗く（輝度が低く）、ＵＶインクによる印刷部分により発光した蛍光を撮像した部分が明るい（輝度が高い）。
【００４８】
補正画像生成部４６は、第１表面画像Ｇ１を補正する第１補正画像生成部５１と、第２表面画像を補正する第２補正画像生成部５２を備える。
【００４９】
第１補正画像生成部５１は、第１表面画像Ｇ１の各画素の輝度値を一定割合で低下させて第１補正画像を生成する。本例では、第１表面画像Ｇ１の各画素の輝度値を５割低下させる。第１補正画像生成部５１により生成される第１補正画像Ｈ１は、図３（ｂ）の上側の図に示すものとなる。図３（ｂ）の下側の図は、第１補正画像Ｈ１における明るさ（輝度値）の分布のヒストグラムである。図３に示すように、第１補正画像Ｈ１は、第１表面画像Ｇ１と比較して暗い（輝度が低下した）画像である。
【００５０】
第２補正画像生成部５２は、エッジ領域抽出部５３、補正関数生成部５４、輝度値補正画像生成部５５を備える。
【００５１】
エッジ領域抽出部５３は、第２表面画像Ｇ２が取得されると、第２表面画像Ｇ２の画像部分をエッジ領域として抽出する。エッジ領域は第２表面画像Ｇ２を構成している各画素の輝度値を参照して抽出される。エッジ領域は、隣り合う第１画素および第２画素の輝度値の差が予め設定した輝度差よりも大きい画像部分を含む領域である。また、エッジ領域は、第１画素および第２画素のうち輝度値の高い第１画素の輝度値が、第２表面画像Ｇ２の全画素の輝度値の平均Ａｖｅよりも高い画像部分を含む領域である。
【００５２】
図５は、第２表面画像Ｇ２において、偽造防止用画像１２を小切手２の長手方向（搬送方向Ｃに対応する方向）に通過する画素列の一部分の輝度を示したグラフである。横軸は画素の位置であり、縦軸はその位置にある画素の輝度値（０〜２５５）を示す。輝度値０は黒であり、輝度値２５５は白である。図５に示す例では、隣り合う第１画素および第２画素の輝度値の差が所定の輝度差より大きい画像部分として、Ｐ１、Ｐ２、Ｐ３、Ｐ４の４つの画像部分がある。Ｐ１、Ｐ２の画像部分は、輝度の高い第１画素の輝度値が画像を構成する全画素の輝度値の平均Ａｖｅよりも低い。Ｐ３、Ｐ４の画像部分は、輝度の高い第１画素の輝度値が画像を構成する全画素の輝度値の平均Ａｖｅよりも高い。
【００５３】
ここで、ＵＶインクにより発光した蛍光を撮像した画像部分の輝度値は、ＵＶインクの濃度が十分なものでない場合でも、画像を構成する全画素の輝度値の平均Ａｖｅよりも高くなる。従って、輝度値が輝度値の平均Ａｖｅよりも高い画素を含むＰ３、Ｐ４の画像部分は、ＵＶインクによる印刷部分を撮影した画像部分である。よって、エッジ領域抽出部５３は、Ｐ３の画像部分またはＰ４の画像部分をエッジ領域として抽出する。抽出されるエッジ領域５６は、例えば、図４（ａ）に示す領域である。なお、Ｐ１、Ｐ２の画像部分は、小切手２の表面に模様が施されていたり、通常のインクにより印刷が施されていたりする部分である。
【００５４】
補正関数生成部５４は、エッジ領域５６に含まれる複数の画素を輝度値に基づいて第１画素群と第２画素群に振分ける。図６（ａ）はエッジ領域５６に含まれる複数の画素における明るさ（輝度値）の分布のヒストグラムの例である。図６（ｂ）は補正関数のグラフである。
【００５５】
エッジ領域５６に含まれる複数の画素は、図６（ａ）に示すように、明るさ（輝度値）の分布のヒストグラムが輝度の高い部分と低い部分に２つの山が形成される双峰分布を備えるものとなる。従って、補正関数生成部５４は、双峰分布している複数の値を２つに分ける閾値を見つけるアルゴリズムを用いて、これら複数の画素を、第１画素群と、第１画素群よりも輝度値の低い第２画素群に振分ける。双峰分布している複数の値を２つに分ける閾値を見つけるアルゴリズムとしては、大津の手法などが知られている。
【００５６】
また、補正関数生成部５４は、第１画素群に含まれる各画素と第２画素群に含まれる各画素との間でコントラストが増大するように各画素の輝度値を補正する補正関数を生成する。補正関数生成部５４は、第１画素群に含まれる各画素の輝度値を平均した第１平均輝度値Ｌ１と、第２画素群に含まれる各画素の輝度値を平均した第２平均輝度値Ｌ２と、第１平均輝度値Ｌ１および第２平均輝度値Ｌ２を平均した第３平均輝度値Ｌ３に基づいて、補正関数を生成する。
【００５７】
ここで、生成される補正関数は、第１平均輝度値Ｌ１の画素の輝度値を第１目標輝度値Ｔ１に補正し、第２平均輝度値Ｌ２の画素の輝度値を第２目標輝度値Ｔ２に補正し、第３平均輝度値Ｌ３の画素の輝度値を第３目標輝度値Ｔ３に補正するものである。第１目標輝度値Ｔ１は、第２目標輝度値Ｔ２および第３目標輝度値Ｔ３よりも高い値であり、輝度値の最高値（本例では２５５）よりも低い値である。第２目標輝度値Ｔ２は第３目標輝度値Ｔ３よりも低い値であり、輝度値の最低値（本例では０）よりも低い値である。
【００５８】
また、補正関数は、第１目標輝度値Ｔ１と第１平均輝度値Ｌ１との第１差分が、第２目標輝度値Ｔ２と第２平均輝度値Ｌ２との第２差分および第３目標輝度値Ｔ３と第３平均輝度値Ｌ３との第３差分よりも大きくなり、第２差分が第３差分よりも小さくなるように、各画素の輝度値を補正するものである。本例では、第１平均輝度値Ｌ１が５４．０２であり、第１目標輝度値Ｔ１が２００である。第１差分は１４５．９８である。第２平均輝度値Ｌ２が４１．６４であり、第２目標輝度値Ｔ２が６３である。第２差分は２１．３６である。第３平均輝度値Ｌ３が４７．８３であり、第３目標輝度値Ｔ３が１２７である。第２差分は９７．１７である。
【００５９】
補正関数生成部５４が生成する補正関数は、例えば、図６（ｂ）に示すものとなる。図６（ｂ）の横軸は、補正前の画素の輝度値（入力輝度値）であり、縦軸は、補正後の画素の輝度値（補正輝度値）である。本例では、補正関数は、ペジェ曲線、シグモイド曲線などにより表される。
【００６０】
なお、第１目標輝度値Ｔ１を、輝度値の最高値（本例では２５５）よりも低い値とするのは、第２表面画像Ｇ２を補正関数によって補正した第２補正画像の輝度が、最高値で飽和することを防止あるいは抑制するためである。ここで、第２目標輝度値Ｔ２を、第２平均輝度値Ｌ２よりも低い値として、補正関数を生成することもできる。
【００６１】
輝度値補正画像生成部５５は、第２表面画像Ｇ２を構成する全画素について各画素の輝度値を補正関数で補正した第２補正画像Ｈ２を生成する。第２補正画像Ｈ２は図４（ｂ）の上側の図に示すものとなる。図４（ｂ）の下側の図は、第２補正画像Ｈ２における明るさ（輝度値）の分布のヒストグラムである。図４（ｂ）に示す第２補正画像Ｈ２は、図４（ａ）に示す第２表面画像Ｇ２と比較して、コントラストが増大した画像となる。
【００６２】
合成画像生成部４７は、第１補正画像Ｈ１と第２補正画像Ｈ２を合成した合成画像を生成する。図７（ａ）は合成画像生成部４７により生成された合成画像の説明図であり、図７（ｂ）は合成画像における明るさ（輝度値）の分布のヒストグラムである。
【００６３】
合成画像生成部４７は、第１補正画像Ｈ１と第２補正画像Ｈ２で対応する画素同士を合成する。合成画像生成部４７は、合成画像Ｉにおいて第１補正画像Ｈ１の画素と第２補正画像Ｈ２の画素を合成した合成画素が、第１補正画像Ｈ１の前記画素の輝度値以上であり、かつ、第２補正画像Ｈ２の前記画素の輝度値以上となる合成方法で、第１補正画像Ｈ１と第２補正画像Ｈ２を合成する。
【００６４】
本例では、以下の式（１）に基づいて、第１補正画像Ｈ１の画素と第２補正画像Ｈ２の画素を合成する。式（１）において、Ｉｍは合成画素の輝度であり、Ｉ１は第１補正画像Ｈ１の画素であり、Ｉ２は第２補正画像Ｈ２の画素である。
Ｉｍ＝２５５×（１−（１−Ｉ１／２５５）×（１−Ｉ２／２５５））・・・（１）
【００６５】
式（１）に基づく合成方法は、第１補正画像Ｈ１をネガポジ反転させるとともに、第２補正画像Ｈ２をネガポジ反転させ、反転させた第１補正画像Ｈ１の各画素と反転させた第２補正画像Ｈ２の各画素を重ね合わせ、重ね合わせた画像を、さらにネガポジ反転することにより、合成画像Ｉを生成するものである。
【００６６】
ここで、合成画像生成部４７により生成された合成画像Ｉは、図７（ａ）に示すものとなる。合成画像Ｉは、第１表面画像Ｇ１について輝度を低下させた第１補正画像Ｈ１と、第２表面画像Ｇ２についてコントラストを増大させた第２補正画像Ｈ２を合成している。また、合成画像生成部４７による合成方法では、合成画像Ｉにおいて第１補正画像Ｈ１の画素と第２補正画像Ｈ２の画素を合成した合成画素が低下しない。これらの結果、合成画像Ｉでは偽造防止用画像１２に対応する画素の輝度が低下しないので、偽造防止用画像１２が判別しやすくなる。
【００６７】
なお、合成画像生成部４７は、以下の式（２）に基づいて、第１補正画像Ｈ１の画素と第２補正画像Ｈ２の画素を合成してもよい。
Ｉｍ＝ｍａｘ（Ｉ１，Ｉ２）・・・（２）
【００６８】
式（２）に基づく合成方法は、第１補正画像Ｈ１と第２補正画像Ｈ２で対応する画素同士を合成する際に、２つの画素のうち輝度値の高い画素の輝度値を合成画素の輝度値として合成画像Ｉを生成するものである。
【００６９】
（小切手処理動作）
小切手２が持ち込まれた金融機関で決済処理を行う際には、小切手２を小切手処理装置５の搬送路１７に挿入して、制御装置７から小切手処理装置５に処理動作開始命令を送信する。
【００７０】
これにより、小切手処理装置５は、小切手２を搬送路１７に沿って搬送して、小切手２に印刷された磁気インク文字１１を磁気センサー１５で読み取り、磁気情報を取得する。また、小切手処理装置５は取得した磁気情報を制御装置７に送信する。さらに、小切手処理装置５は、小切手２の表面２ａをイメージセンサー１６で読み取って、この読取情報を逐次に制御装置７に送信する。
【００７１】
小切手処理装置５からの読取情報を受信した制御装置７は、第１表面画像Ｇ１（図３（ａ）参照）および第２表面画像Ｇ２（図４（ａ）参照）を取得する。そして、制御装置７は、第１表面画像Ｇ１の輝度値を補正した第１補正画像Ｈ１を生成する（図３（ｂ）参照）。また、制御装置７は、第２表面画像Ｇ２に基づいて補正関数を生成し、第２表面画像Ｇ２を補正関数で補正した第２補正画像Ｈ２を生成する（図４（ｂ）参照）。その後、制御装置７は、第１補正画像Ｈ１と第２補正画像Ｈ２を合成した合成画像Ｉを生成し（図７（ａ）参照）、この合成画像Ｉをディスプレイ１０に表示する。
【００７２】
ここで、オペレーターはディスプレイ１０に表示される合成画像Ｉに基づいて小切手２の真贋を確認する。すなわち、オペレーターは合成画像Ｉに現れている偽造防止用画像１２をディスプレイ１０上で確認する。また、オペレーターは、合成画像Ｉや小切手２に基づいて表書きなどを確認して、決済に必要な情報を、入力装置９を介して装置本体８に入力する。決済に必要な情報が入力されると、この入力情報と磁気情報に基づいて決済処理が行われる。決済が完了すると、制御装置７は、合成画像Ｉを、決済の日付、磁気情報および入力情報などを含む決済情報と関連付けて記憶保持する。
【００７３】
本例によれば、小切手２による決済の証拠として、可視光線を照射した小切手２の第１表面画像Ｇ１と、紫外線を照射した小切手２の第２表面画像Ｇ２を別々に保存するのではなく、これらを合成した合成画像Ｉを保存する。従って、決済の証拠として保存する画像のデータ容量を抑制することができる。
【００７４】
また、本例では、合成画像ＩにおいてＵＶインクによる印刷部分に対応する画素の輝度が、合成前の第２補正画像Ｈ２と比較して低下しないので、合成画像Ｉにおいて偽造防止用画像１２を判別しやすい。
【００７５】
さらに、本例では、第１補正画像Ｈ１を生成する際に、第１表面画像Ｇ１の各画素の輝度値を一律の割合で低下させている。従って、第１補正画像Ｈ１の生成が容易である。また、本例では、第１表面画像Ｇ１の各画素の輝度値を一律の割合で低下させることにより明るさ（輝度値）の分布のヒストグラムを圧縮して、図３（ｂ）に示すように第１補正画像Ｈ１における輝度の上限値を下げている。従って、合成画像Ｉにおける明るさ（輝度値）の分布のヒストグラムにおいて、第１補正画像Ｈ１における輝度の上限値を超えた部分は、第１補正画像Ｈ１に関する情報を含まない部分であると判別できる。すなわち、本例では、第１表面画像Ｇ１の各画素の輝度値を一律に５割低下させた後に第２補正画像Ｈ２と合成しているので、合成画像Ｉにおける輝度値１２８以上の画素は、第１表面画像Ｇ１に第２補正画像Ｈ２を合成することにより第１表面画像Ｇ１に追加された情報であり、第１表面画像Ｇ１の情報を含まない部分であると区分できる。
【００７６】
（その他の実施の形態）
上記の例では、画像処理装置の実施の形態として小切手を処理する小切手処理装置を示したが、小切手以外のＵＶインクで印刷された媒体から読取った画像を処理する画像処理装置にも適用可能である。また、上記の例では、第１補正画像Ｈ１と第２補正画像Ｈ２をＲＧＢ色空間で合成しているが、第１補正画像Ｈ１と第２補正画像Ｈ２の各画素をＨＳＢ色空間の値に変換して、ＨＳＢ色空間でこれらを合成した合成画像を生成してもよい。
【００７７】
また、小切手処理システム１では、制御装置７における画像取得部４５、補正画像生成部４６、合成画像生成部４７を、小切手処理装置５の側に搭載する構成を採用することもできる。この場合、小切手処理装置５に搭載された合成画像生成部４７は、合成画像Ｉを制御装置７に送信する。また、この場合には、小切手処理装置５の制御部（制御装置）３１上で画像処理プログラムを動作させることにより、制御部３１を、画像取得部４５、補正画像生成部４６および合成画像生成部４７として機能させる。
【００７８】
なお、小切手処理装置５としては、画像読取位置Ｂにおいて搬送路１７を挟んで対峙する一対のイメージセンサー１６を備え、小切手２の表面画像および裏面画像を取得するものとしてもよい。また、第１表面画像Ｇ１に基づいて、小切手２の表面２ａに記載された文字などを画像認識する画像認識部を搭載するものとすることができる。さらに、小切手処理システム１としては、小切手処理装置５における磁気情報取得部および画像取得部４５を制御装置７の側に搭載する構成を採用することもできる。この場合には、小切手処理装置５から制御装置７に磁気読取情報及び補正読取情報を送信するものとする。
【符号の説明】
【００７９】
１・・小切手処理システム、２・・小切手（媒体）、２ａ・・小切手の表面、５・・小切手処理装置、６・・ケーブル、７・・制御装置（画像処理装置）、８・・装置本体、９・・入力装置、１０・・ディスプレイ、１１・・磁気インク文字、１２・・偽造防止用画像、１５・・磁気センサー、１６・・イメージセンサー、１７・・搬送路、１８・・搬送機構、１９・・搬送ローラー対、２０・・搬送モーター、２１・・磁気読取面、２５・・照射部、２５Ｂ・・青色発光素子、２５Ｇ・・緑色発光素子、２５Ｒ・・赤色発光素子、２５ＵＶ・・紫外線発光素子、２６・・読取部、３１・・制御部、３２・・通信部、３３・・搬送制御部、３４・・磁気情報取得部、３５・・画像読取部、４１・・小切手処理装置制御部、４２・・画像処理部、４３・・決済処理部、４５・・画像取得部、４６・・補正画像生成部、４７・・合成画像生成部、５１・・第１補正画像生成部、５２・・第２補正画像生成部、５３・・エッジ領域抽出部、５４・・補正関数生成部、５５・・輝度値補正画像生成部、５６・・エッジ領域、Ａ・・磁気読取位置、Ｂ・・画像読取位置、Ｃ・・搬送方向、Ｇ１・・第１表面画像（第１画像）、Ｇ２・・第２表面画像（第２画像）、Ｈ１・・第１補正画像、Ｈ２・・第２補正画像、Ｉ・・合成画像、Ｌ１〜Ｌ３・・平均輝度値、Ｔ１〜Ｔ３・・目標輝度値
【図１】
2016015668.tif 000003
【図２】
2016015668.tif 000004
【図５】
2016015668.tif 000005
【図６】
2016015668.tif 000006
【図３】
2016015668.tif 000007
【図４】
2016015668.tif 000008
【図７】
2016015668.tif 000009